(57)【要約】【課題】化粧前板にキャスターを備えたワゴンを一体とする場合、化粧前板を框組みや額縁付きとしたり、芯材を枠組みし表面材裏面材を接着したようなものの場合は、取り付け位置が框などの化粧前板の周縁に限定されることになっていた。また、ワゴン本体と化粧前板の取り付け部位が掃除し難くなっていた。【解決手段】キッチンに配置する厨房家具のベースキャビネットやハッチなどの収納庫等のカウンター（上面板）の下方に出し入れ自在とする化粧前板付ワゴンＷにおいて、ワゴン本体１０に、化粧前板５０の裏面に沿わせ上下又は左右の端縁、或いは裏面周縁まで被う金属製プレートを３０設けたことを特徴とする。【選択図】        図１
2004181116.tif 000002
【特許請求の範囲】
【請求項１】
キッチンに配置する厨房家具のベースキャビネットやハッチなどの収納庫等のカウンター（上面板）の下方に出し入れ自在とする化粧前板付ワゴンにおいて、ワゴン本体に、化粧前板の裏面に沿わせ上下又は左右の端縁、或いは裏面周縁まで被う金属製プレートを設けたことを特徴とする化粧前板付ワゴン。
【請求項２】
金属製プレートを、両側を折り返して側板を設け、この側板にワゴン本体の上枠を延設させて内接するようにして取り付けられるようにしたことを特徴とする請求項１記載の化粧前板付ワゴン。
【発明の詳細な説明】
【０００１】
【発明の属する技術分野】
本発明は、主にキッチンに配置する厨房家具のベースキャビネットやハッチなどの収納庫等のカウンター（上面板）の下方に出し入れ自在とする化粧前板付ワゴンに関するものである。
【０００２】
【従来の技術】
キッチンキャビネットやハッチなどの収納庫のカウンターの下方に、底面にキャスターを設け、出し入れ自在としたワゴンは、一般的には、その前面に隣り合う引き出しや扉と同一の体裁を備えた化粧前板を設け（図６参照）、収納した状態で違和感がないようにしてある。
ワゴンをパイプにて構成する場合は、図７に示すように、丸パイプを屈強させ、門形前面ａ、同じく門形後面ｂ及びこれらを下方で一体に繋ぐ水平面ｃによりフレームを構成し、水平面ｃに、キャスターｄを設けた底板ｅを載せるようにし、門形前面ａを化粧前板ｆにビス止めなどの手段により固定していた。
また、平行に一対の水平部と、その水平部の一端を垂直方向に延在させたフレームパイプを化粧用前板にボルトナットなどの締結手段で止めるようにしているものもある（特許文献１参照）。
【０００３】
【特許文献１】
特開平５−１４６３２６号公報（第１頁、図１）
【０００４】
【発明が解決しようとする課題】
化粧前板にキャスターを備えたワゴンを一体とするため、化粧前板が一枚板で構成されていればよいが、框組みや額縁付きとしたり、芯材を枠組みし表面材と裏面材を接着したようなものの場合は、取り付け位置が框などの化粧前板の周縁に限定されることになっていた。
【０００５】
加えて、化粧前板を備えるようにすると、ワゴン本体と化粧前板の取り付け部位が掃除し難くなっていた。ワゴンに厨芥などを収納するごみ容器を納めて使用すると、化粧前板の裏面が汚れると悪臭の発生源ともなりかねなかった。
【０００６】
【課題を解決するための手段】
上記課題を解決するために請求項１の発明の要旨とするのは、キッチンに配置する厨房家具のベースキャビネットやハッチなどの収納庫等のカウンター（上面板）の下方に出し入れ自在とする化粧前板付ワゴンにおいて、ワゴン本体に、化粧前板の裏面の上下又は左右の端縁、或いは裏面周縁まで被う金属製プレートを取り付けたことを特徴とするものである。
【０００７】
請求項２の発明の要旨とするのは、金属製プレートを、両側を折り返してワゴン本体の上枠を延設させて内接するようにして取り付けられるようにしたことを特徴とするものである。
【０００８】
【発明の実施の形態】
以下、図面に示す本発明の実施の形態に即して説明する。
図１は、この発明に係る化粧前板付ワゴンＷである。
一対の扁平な角パイプを額縁状にして側枠１１、１１とし、これら側枠１１、１１にキャスター２１ａを四隅に取り付けた底板２１を渡架固定し、側枠１１、１１の背面側上部に連結材１２を渡し、側枠１１、１１の化粧前板５０に対峙する前面側には、両側を折り返してなる側板３１を備えた金属製プレート３０を固定してワゴン本体１０を構成している。
側板３１と側枠１１、１１とは溶接するか或いはＬ型金具を介してビス止めするなどして一体とする。
この金属製プレート３０は化粧前板５０の背面に沿わせ、一回り小さい大きさとして、化粧前板５０の裏面周縁まで被うようにしてある。
【０００９】
化粧前板付ワゴンＷの、化粧前板５０の縦横の長さは、収納すべきカウンター（天板）下の大きさに合わせ、またワゴン本体１０の奥行も収納すべきカウンター（天板）の奥行に合わせて適宜の大きさとする。
金属プレート３０は、塗装鋼板或いはステンレス鋼板などで構成することができるが、望ましくはステンレス鋼板とする。
ワゴン本体１０の金属プレート３０を除く素材は、金属製のパイプ、金属製網板、プラスチック製パイプとプラスチック板などで構成することもできる。要は物品を収納することのできる形態であれば足り、例えば上部に起伏乃至取り外し自在な天板を設けて載置台をも兼ねるようにすることもできる。
【００１０】
図２の化粧前板付ワゴンＷは、その化粧前板５０を、蹴込上部にまで至る背の高い下段引き出しを左右方向に備える流し台、コンロ台、調理台を一体とした複合厨房家具の体裁に合わせたものである。
そこで、化粧前板５０を、上部前板５１及び下部前板５２とから構成し、それぞれをワゴン本体１０に繋げるようにしてある。下部前板５２は蹴込を構成するように、水平な段部５２１及び凹ませた蹴込部５２２を一体に構成するようにし、下部前板５２の側端縁にはサイドキャップ５３を被せるようにしてある。
【００１１】
一対の角パイプを額縁状にして側枠１１、１１を構成し、この側枠１１、１１の背面側の上下に同じく角パイプからなる連結材１２、１２を渡し、さらに前面側の下部に角パイプからなす連結材１２を渡しフレームを形成し、キャスター２１ａを四隅に取り付けた底板２１を前後の連結材１２の向き合う側面に固定し、側枠１１、１１の前面側に、両側を折り返して形成する側板３１を備えた金属製プレート３０を固定してワゴン本体１０（図３参照）を構成している。
金属製プレート３０は、化粧前板５０の上部前板５１のほぼ中央部分から上に沿わせるように配置してあるが、化粧前板５０の背面両側端まで被う大きさとしている。
【００１２】
金属製プレート３０の本体には、化粧前板５０に止めるためのビス穴３０ａを穿ってある。
金属製プレートの側板３１、３１の上部には取付穴を３１ａを穿ちロッド３３の両端を差し込めるようにしてあり、側板３１、３１の下部には角パイプ３４を介在させ側板３１、３１の強度を増し変形しないようにしてある。
金属製プレート３０の側板３１の下方は、サイドキャップ５３と一体に構成される矩形のカバー５３ａにより蓋をされることになる。また、化粧前板５０の下部前板５２の背面には仕切板５４を立設させ、側枠１１、１１の前面側に当接するようにし、段部５２１上に収納ポケット５５を形成するようにしてある。
側枠１１、１１の下部にはビス穴を穿ち、下部前板５２の蹴込部５２２にビスをねじ込み止めるようにしてある。
【００１３】
側枠１１の垂直に立つ前枠１１１及び後枠１１２には対向するように複数対のフック１１ａ、１１ａを設けてラックＲを取り外し自在に引っ掛けられるようにしてある。
【００１４】
図４は、フレームの形態等が異なるが、図２の実施の形態と基本的構成は同一であるので同一箇所は同一符号を付して説明を省略する。
一対の角パイプを門型にして側枠１１、１１を構成し、この側枠１１、１１の背面側の上下に同じく角パイプからなる連結材１２、１２を渡し、さらに前面側の下部に角パイプからなす連結材１２を渡しフレームを形成し、キャスター２１ａを四隅に取り付けた底板２１を前後の連結材１２の上面に固定し、側枠１１、１１の前面側に、両側を折り返して形成する側板３１を備えた金属製プレート３０を固定してワゴン本体１０（図３参照）を構成している。
【００１５】
側枠１１の上枠１１３は前面側に突出するようにして、金属製プレート３０の側板３１、３１に内接するようにしてある。そこで内接する箇所に接着剤を塗布することで金属製プレート３０を側枠１１の上枠１１３と一体とすることができる。
底板２１の底面には小さなラックＲをスライドさせることで出し入れ自在に設けて、ごみ袋などを収納するようにする。
金属製プレート３０の裏面で角パイプ３４上には扁平な収納容器Ｋを乗せ金属プレート３０の裏面に設けるフック（図示せず）に掛けることで、包丁などを収納することもできる。
【００１６】
【発明の効果】
請求項１の発明に係る化粧前板付ワゴンによれば、ワゴン本体に、化粧前板の裏面に沿わせ上下又は左右の端縁、或いは裏面周縁まで被う金属製プレートを設けるようにしたので、化粧前板が框組などとして周縁にねじは立つが中央部分はねじ止めができない場合であっても取り付けが可能となるのである。
また、化粧前板付ワゴンにプラスチック製ゴミ容器を収納するような場合は、金属製プレートを採用することで清掃が簡単となるのである。
【００１７】
請求項２の発明に係る化粧前板付ワゴンによれば、金属製プレートを、両側を折り返して側板を設け、この側板にワゴン本体の上枠を延設させて内接するようにして取り付けられるようにしたので、側板が蹴込の奥行きに対応することになり、かつ、フレームの上枠と金属製プレートの接合が確実になるのである。
【図面の簡単な説明】
【図１】本発明に係る化粧前板付ワゴンの斜視図である。
【図２】本発明の別の実施の態様に係る化粧前板付ワゴンの斜視図である。
【図３】図２の化粧前板を外した状態の側面図である。
【図４】本発明のさらに別の実施の形態の化粧前板付ワゴンの斜視図である。
【図５】図４の化粧前板を外した状態の側面図である。
【図６】従来の化粧前板付ワゴンの使用状態の斜視図である。
【図７】パイプによりフレームを構成した化粧前板付ワゴンの従来例の斜視図である。
【符号の説明】
１０  ワゴン本体
１１  側枠
１１３  上枠
１２  連結材
２１  底板
２１ａ  キャスター
３０  金属製プレート
３１  側板
５０  化粧前板
【図１】
2004181116.tif 000003
【図２】
2004181116.tif 000004
【図３】
2004181116.tif 000005
【図４】
2004181116.tif 000006
【図５】
2004181116.tif 000007
【図６】
2004181116.tif 000008
【図７】
2004181116.tif 000009